(57)【要約】【課題】パルスによってスイッチング電源の発振動作が切替わる電源システムにおいて、外乱ノイズにより不具合が発生するのを抑制する技術を提供すること。【解決手段】電源システムは、交流電源から電力の供給が開始されたことを検出する供給検出部と、スイッチング電源の動作モードを指定するパルス信号を生成するモード制御部と、パルス信号にしたがってスイッチング電源の発振動作を制御する電源制御部とを備える。電源制御部は、発振停止中にモード制御部からパルス信号を入力される場合、スイッチング電源を発振させる発振処理（Ｓ３１２）と、発振中にモード制御部からパルス信号を入力される場合、発振を停止させる発振停止処理（Ｓ３５０）と、供給検出部によって、交流電源からの電力供給開始が検出された場合、所定時間、パルス信号の入力を無効にする無効処理（ステップＳ３１５：ＮＯ）とを実行する。【選択図】図８
2015198467.tif 000002
【特許請求の範囲】
【請求項１】
交流電源から印加される交流電圧を直流電圧に変換して出力するスイッチング電源であって、動作モードとして、発振している状態であるＯＮモードと、発振が停止している状態であるＯＦＦモードとを有するスイッチング電源と、
前記スイッチング電源の前記動作モードを指定するパルス信号を生成するモード制御部と、
少なくとも前記スイッチング電源が発振を停止している間に、前記モード制御部に電力を供給する補助電源と、
前記交流電源から電力を供給されることにより起動し、前記パルス信号にしたがって前記スイッチング電源の発振動作を制御する電源制御部と、
前記交流電源から電力の供給が開始されたことを検出する供給検出部と、
を備え、
前記電源制御部は、
前記発振停止中に前記モード制御部から前記パルス信号を入力される場合、前記スイッチング電源を発振させる発振処理と、
前記発振中に前記モード制御部から前記パルス信号を入力される場合、前記スイッチング電源の発振を停止させる発振停止処理と、
前記供給検出部によって前記交流電源からの電力供給開始が検出された場合、所定時間、前記パルス信号の入力を無効にする無効処理と、を実行する、
電源システム。
【請求項２】
請求項１に記載の電源システムにおいて、
前記電源制御部は、前記供給検出部を含む、電源システム。
【請求項３】
請求項２に記載の電源システムにおいて、
前記スイッチング電源は、前記交流電源の交流電圧を整流し、直流電圧を出力する整流回路を含み、
前記電源制御部は、
前記整流回路から出力される直流電圧を受け取る電源端子と、
前記電源端子に接続され、前記整流回路から出力される直流電圧が所定値以上に達した場合に計時を開始するタイマと、
前記ＯＦＦモードを指定するパルス信号を受け取るＯＦＦ端子と、
前記ＯＦＦ端子および前記タイマに接続され、前記タイマが前記所定時間を計時した後に、前記ＯＦＦ端子の入力を有効にするスイッチと、を含む、電源システム。
【請求項４】
請求項３に記載の電源システムにおいて、
前記スイッチング電源から電力を供給されるシステム制御部を備え、
前記所定時間は、前記供給検出部によって前記交流電源から電力の供給が検出された時から前記システム制御部が起動するまでの時間とされる、電源システム。
【請求項５】
請求項１から請求項４のいずれか一項に記載の電源システムにおいて、
前記スイッチング電源から電力を供給されるシステム制御部と、
電源キーと、
を備え、
前記モード制御部は、
前記ＯＮモードおよび前記ＯＦＦモードのうちいずれのモードであるかのモード情報を記憶する記憶部を有し、
前記電源キーが押下される際に前記電源キーから出力される押下信号を検出する押下検出処理と、
前記記憶部に前記ＯＮモードのモード情報が記憶されているときに前記押下信号を検出した場合、前記押下信号を検出したことを示す押下情報を前記システム制御部に出力する押下出力処理と、
前記システム制御部からＯＦＦモード設定信号が入力された場合、前記記憶部に前記ＯＦＦモードのモード情報を設定するＯＦＦモード設定処理と、
前記システム制御部からＯＮモード設定信号が入力された場合、前記記憶部に前記ＯＮモードのモード情報を設定するＯＮモード設定処理と、を実行し、
前記システム制御部は、
前記モード制御部から前記押下情報を入力された場合、前記モード制御部に前記ＯＦＦモード設定信号を出力するオフ出力処理と、
発振を開始した前記スイッチング電源から電力を供給されると、前記モード制御部に前記ＯＮモード設定信号を出力するオン出力処理と、を実行する、電源システム。
【請求項６】
請求項１から請求項５のいずれか一項に記載の電源システムと、
前記スイッチング電源から出力される前記直流電圧を利用して画像を形成する画像形成部と、
を備える、画像形成装置。
【発明の詳細な説明】
【技術分野】
【０００１】
本発明は電源システムおよび同システムを備えた画像形成装置に関し、詳しくは、パルス信号にしたがって電源のスイッチング電源の発振動作を制御する技術に関する。
【背景技術】
【０００２】
従来、パルス信号にしたがって電源のスイッチング電源の発振動作を制御する技術が、例えば、特許文献１に開示されている。そこでは、モード制御ブロック（電源キー制御ＩＣ）から供給される制御パルス信号にしたがってスイッチング電源の発振を制御するスイッチ制御部を備え、スイッチング電源の出力を停止させる際、制御パルス信号によって停止させる技術が開示されている。
【先行技術文献】
【特許文献】
【０００３】
【特許文献１】特開２０１２−１０５３７８号公報
【発明の概要】
【発明が解決しようとする課題】
【０００４】
電源システムの動作中等に外乱ノイズが生じると、スイッチ制御部（電源制御ＩＣ）が、外乱ノイズを、発振動作を切り替えるための制御パルス信号と勘違いし、スイッチ制御部がスイッチング電源の発振を停止させてしまう虞があった。
【０００５】
本発明は、パルス信号によってスイッチング電源の発振動作が切替わる電源システムにおいて、外乱ノイズにより不具合が発生するのを抑制する技術を提供するものである。
【課題を解決するための手段】
【０００６】
本明細書によって開示される電源システムは、交流電源から印加される交流電圧を直流電圧に変換して出力するスイッチング電源であって、動作モードとして、発振している状態であるＯＮモードと、発振が停止している状態であるＯＦＦモードとを有するスイッチング電源と、前記スイッチング電源の前記動作モードを指定するパルス信号を生成するモード制御部と、少なくとも前記スイッチング電源が発振を停止している間に、前記モード制御部に電力を供給する補助電源と、前記交流電源から電力を供給されることにより起動し、前記パルス信号にしたがって前記スイッチング電源の発振動作を制御する電源制御部と、前記交流電源から電力の供給が開始されたことを検出する供給検出部と、を備え、前記電源制御部は、前記発振停止中に前記モード制御部から前記パルス信号を入力される場合、前記スイッチング電源を発振させる発振処理と、前記発振中に前記モード制御部から前記パルス信号を入力される場合、前記スイッチング電源の発振を停止させる発振停止処理と、前記供給検出部によって、前記交流電源からの電力供給開始が検出された場合、所定時間、前記パルス信号の入力を無効にする無効処理と、を実行する。
本構成によれば、無効処理によって、外乱ノイズが発生しやすい交流電源からの電力供給開始時において、所定時間、スイッチング電源の発振を開始または停止させるパルスの入力が無効にされる。そのため、パルスによってスイッチング電源の発振動作が切り替わる電源システムにおいて、外乱ノイズにより不具合が発生するのを抑制することができる。
【０００７】
上記電源システムにおいて、前記電源制御部は、前記供給検出部を含むようにしてもよい。
本構成によれば、他の部が供給検出部を含み、その結果を電源制御部が受け取る場合と比べて、無効処理を迅速に実行することができる。
【０００８】
また、上記電源システムにおいて、前記スイッチング電源は、前記交流電源の交流電圧を整流し、直流電圧を出力する整流回路を含み、前記電源制御部は、
前記整流回路から出力される直流電圧を受け取る電源端子と、前記電源端子に接続され、前記整流回路から出力される直流電圧が所定値以上に達した場合に計時を開始するタイマと、前記ＯＦＦモードを指定するパルス信号を受け取るＯＦＦ端子と、前記ＯＦＦ端子および前記タイマに接続され、前記タイマが前記所定時間を計時した後に、前記ＯＦＦ端子の入力を有効にするスイッチと、を含むようにしてもよい。
本構成によれば、タイマとスイッチとを用いて、パルス入力を無効にする無効処理を、簡易な構成で好適に実行できる。
【０００９】
また、上記電源システムにおいて、前記スイッチング電源から電力を供給されるシステム制御部を備え、前記所定時間は、前記供給検出部によって前記交流電源から電力の供給が検出された時から前記システム制御部が起動するまでの時間とされるようにしてもよい。
本構成によれば、システム制御部の起動時間以上、パルスの無効期間を長くすると、ユーザが電源キーによってスイッチング電源をＯＦＦモードに変更しようとしても変更できない場合が生じる可能性がある。そのため、所定時間をシステム制御部の起動時間とすることによって、外乱ノイズにより不具合が発生するのを抑制しつつ、電源オン時にユーザが電源キーによってスイッチング電源をＯＦＦモードに変更することができる。
【００１０】
また、上記電源システムにおいて、前記スイッチング電源から電力を供給されるシステム制御部と、電源キーと、を備え、前記モード制御部は、前記ＯＮモードおよび前記ＯＦＦモードのうちいずれのモードであるかのモード情報を記憶する記憶部を有し、前記電源キーが押下される際に前記電源キーから出力される押下信号を検出する押下検出処理と、前記記憶部に前記ＯＮモードのモード情報が記憶されているときに前記押下信号を検出した場合、前記押下信号を検出したことを示す押下情報を前記システム制御部に出力する押下出力処理と、前記システム制御部からＯＦＦモード設定信号が入力された場合、前記記憶部に前記ＯＦＦモードのモード情報を設定するＯＦＦモード設定処理と、前記システム制御部からＯＮモード設定信号が入力された場合、前記記憶部に前記ＯＮモードのモード情報を設定するＯＮモード設定処理と、を実行し、前記システム制御部は、前記モード制御部から前記押下情報を入力された場合、前記モード制御部に前記ＯＦＦモード設定信号を出力するオフ出力処理と、発振を開始した前記スイッチング電源から電力を供給されると、前記モード制御部に前記ＯＮモード設定信号を出力するオン出力処理と、を実行するようにしてもよい。
本構成によれば、電源キーによって、スイッチング電源のモード切替え指示が行われ、その指示に基づいて、システム制御部がモード設定を行う電源システムにおいて、外乱ノイズにより不具合が発生するのを抑制することができる。
【００１１】
また、本明細書によって開示される画像形成装置は、上記のいずれかに記載の電源システムと、前記スイッチング電源から出力される前記直流電圧を利用して画像を形成する画像形成部とを備える。
本構成によれば、電源システムを備える画像形成装置において、その電源システムにおいて、外乱ノイズにより不具合が発生するのを抑制することができる。それによって、画像形成装置の使用開始時に、装置が起動しないことが、抑制される。
【発明の効果】
【００１２】
本発明によれば、パルス信号によってスイッチング電源の発振動作が切替わる電源システムにおいて、外乱ノイズにより不具合が発生するのを抑制することができる。
【図面の簡単な説明】
【００１３】
【図１】一実施形態の画像形成装置の概略的な構成を示すブロック図
【図２】画像形成装置が備える電源システムの構成を示す回路図
【図３】電源制御ＩＣの概略的な構成を示すブロック図
【図４】ＡＳＩＣの制御処理を示すフローチャート
【図５】電源キー制御ＩＣの制御処理を示すフローチャート
【図６】電源制御ＩＣの制御処理を示すフローチャート
【図７】モード変更に係る各制御部の動作を示すシーケンス図
【図８】ＯＦＦモード中に電源をオフされた後の、電源オン時の処理に係るフローチャート
【図９】ＯＦＦモード中に電源をオフされた後の、電源オン時の各制御部の動作を示すシーケンス図
【図１０】ＯＮモード中に電源をオフされた後の、電源オン時の処理に係るフローチャート
【図１１】ＯＮモード中に電源をオフされた後の、電源オン時の各制御部の動作を示すシーケンス図
【図１２】電源オン時の処理に係るタイムチャート
【発明を実施するための形態】
【００１４】
＜実施形態＞
一実施形態について図１から図１２を参照して説明する。
【００１５】
１．プリンタの説明
図１に示されるように、画像形成装置の一例であるプリンタ１は、印刷部２、通信部３ａ、画像メモリ３ｂ、表示部４および電源システム１００を備えている。電源システム１００は、低圧電源部１０と制御部５０とから構成されている。低圧電源部１０はプリンタ１の電源となるものであり、印刷部２、通信部３ａ、画像メモリ３ｂおよび制御部５０に対して電力を供給する。なお、画像形成装置はプリンタに限られず、例えば、コピー機、スキャナー、複合機等であってもよい。
【００１６】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、記録媒体に現像剤像を転写する転写プロセスを実行する転写器２ｅ、記録媒体上に転写された現像剤像を定着させる定着プロセスを実行する定着器２ｆ等から構成されている。
【００１７】
印刷部２は帯電プロセス、露光プロセス、現像プロセス、転写プロセス、定着プロセスを実行して、記録媒体上に印刷データを印刷する印刷処理を実行するものである。通信部３ａはＰＣ等の情報端末装置との間で通信を行うものであり、情報端末装置から印刷指示や印刷データを受信する機能を担う。画像メモリ３ｂは、情報端末装置から受信した印刷データを一時記憶するものである。
【００１８】
上記プリンタ１は、通信部３ａが情報端末装置から印刷指示を受けて印刷データを受信すると、制御部５０が、印刷部２に帯電プロセス、露光プロセス、現像プロセス、転写プロセス、定着プロセスからなる印刷処理を実行させることで、記録媒体に印刷データを印刷させる。なお、印刷部２の動作電圧は主に２４Ｖであるのに対して、通信部３ａ、画像メモリ３ｂおよび制御部５０の動作電圧は主に３．３Ｖである。
【００１９】
なお、プリンタ１は、動作モードとして、ＯＮモードとＯＦＦモードとを有する。ＯＮモードとは、ＯＦＦモード中に電源キーＳＷ１（図２参照）がユーザにより押下されることによって設定される状態である。ＯＮモードは、詳細には後述するが、電源システム１００のスイッチング電源２０が動作している状態であり、レディモード、プリントモード、およびスリープモードを有する。レディモードとは、プリンタ１が印刷指示に応答して即座に印刷処理を実行できる状態である。そのため、レディモードにおいては、定着器２ｆは、詳しくは、定着器２ｆのヒータは、定着可能な温度或いは定着可能な温度よりやや低い温度に維持されるように通電制御されている。プリントモードとは、プリンタ１が印刷指示を受け、印刷部２が動作されている状態である。そのため、プリントモードにおいては、定着器２ｆのヒータは、定着可能な温度に維持されるように通電制御されている。
【００２０】
また、スリープモードとは、印刷処理を完了してから印刷指示が所定時間なくプリンタ１が待機している状態である。スリープモードでは、定着器２ｆのヒータは通電されていない。そのため、スリープモードは、プリントモードやレディモードよりも省電力である。また、ＯＦＦモードとは、ＯＮモード中に電源キーＳＷ１（図２参照）がユーザにより押下されることによって設定される状態である。ＯＦＦモードでは、定着器２ｆのヒータは通電されておらず、また、詳細には後述するが、電源システム１００のスイッチング電源２０が停止しているため、ＯＦＦモードは、スリープモードよりも省電力である。
【００２１】
２．電源システムの構成
図２を参照して電源システム１００の構成について説明する。電源システム１００は低圧電源部１０および制御部５０を含み、低圧電源部１０は、スイッチング電源２０および小容量電源３０を含む。
【００２２】
２−１．低圧電源部の構成
まず、スイッチング電源２０および小容量電源３０を含む低圧電源部１０の構成について、図２を参照しながら説明する。
【００２３】
２−１−１．スイッチング電源の構成
スイッチング電源２０は、整流平滑回路２１、電源制御ＩＣ２２、電圧発生回路２３、トランス２４、ＦＥＴ（電界効果トランジスタ）Ｑ１、整流平滑回路２５、電圧検出回路２６、およびＤＣ−ＤＣコンバータ２７、２８を含む。スイッチング電源２０は、動作モードとして、トランス２４の一次側が発振している状態であるＯＮモードと、発振が停止している状態であるＯＦＦモードとを有する。
【００２４】
ここで、スイッチング電源２０のＯＮモードにおいては、トランス２４の一次側が発振して、スイッチング電源２０が出力している状態にある。レディモードおよびプリントモードにおいては、ＤＣ２４Ｖ、ＤＣ５ＶおよびＤＣ３．３Ｖが出力され、スリープモードにおいては、ＤＣ５ＶおよびＤＣ３．３Ｖが出力される。
一方、ＯＦＦモードにおいては、トランス２４の発振が停止してスイッチング電源２０の出力が停止している状態にある。
【００２５】
スイッチング電源２０は、交流電源ＡＣの交流電圧Ｖａｃを整流平滑化する。ＯＮモードにおいて、プリンタ１がレディモードまたはプリントモードの場合、＋２４Ｖ、＋５Ｖおよび＋３．３Ｖの直流電圧を生成し、プリンタ１がスリープモードの場合、＋２４Ｖに変えて、＋６Ｖを出力し、＋５Ｖおよび＋３．３Ｖの直流電圧を生成する。＋２４Ｖおよび＋６Ｖの直流電圧（以下「ＤＣ２４Ｖ」、「ＤＣ６Ｖ」と記す）は第１出力端子ＯＵＴ１から出力され、＋５Ｖの直流電圧（以下「ＤＣ５Ｖ」と記す）は第２出力端子ＯＵＴ２から出力され、＋３．３Ｖの直流電圧（以下「ＤＣ３．３Ｖ」と記す）は第３出力端子ＯＵＴ３から出力される。一方、ＯＦＦモードでは、直流電圧は出力されない。
【００２６】
整流平滑回路２１は、交流電源ＡＣの交流電圧（例えば、２４０Ｖ）Ｖａｃを整流するブリッジダイオードおよび整流後の電圧を平滑化するコンデンサを含む。整流平滑回路２１の出力は、トランス２４の一次コイルに印加される。
【００２７】
トランジスタＱ１はＮチャンネルのＭＯＳＦＥＴであり、電源制御ＩＣ２２の出力端子ＯＵＴからゲートにオン／オフ信号（ＰＷＭ信号）が与えられることにより、オン／オフ動作する。これにより、トランス２４の一次側が発振して、トランス２４の二次コイルに電圧を誘起させる。
【００２８】
また、トランス２４の一次側には電圧発生回路２３が設けられている。電圧発生回路２３は、トランス２４の一次側に設けられた補助コイルに誘起される電圧を整流平滑化して、電源制御ＩＣ２２用の電源電圧Ｖｃｃを生成する。
【００２９】
整流平滑回路２５はトランス２４の二次コイルに誘起された電圧を整流平滑化してＤＣ２４Ｖを生成する。
【００３０】
電圧検出回路２６は、フォトカプラＰＣ１を含み、スイッチング電源２０のＤＣ２４Ｖ出力の検出レベルに応じて、フォトカプラＰＣ１の発光ダイオードＬＥＤ１を発光させる。フォトカプラＰＣ１は、電源制御ＩＣ２２のフィードバック端子ＦＢに接続されたフォトトランジスタＰＴ１を含む。そのため、発光ダイオードＬＥＤ１の光信号はフォトトランジスタＰＴ１にて電気信号に戻され、ＤＣ２４Ｖ出力の検出値が電源制御ＩＣ２２のフィードバック端子ＦＢにフィードバックされる。
【００３１】
ＤＣ−ＤＣコンバータ２７は、ＤＣ２４ＶをＤＣ５Ｖに変換して出力し、ＤＣ−ＤＣコンバータ２８は、ＤＣ２４ＶをＤＣ３．３Ｖに変換して出力する。
【００３２】
電源制御ＩＣ（「電源制御部」の一例）２２は、図２および図３に示すように、電源検出部２２Ａ、タイマ２２Ｂ、スイッチ２２Ｃ、駆動制御部２２Ｄ、および電源切替部２２Ｅ等を含む。電源制御ＩＣ２２は、交流電源ＡＣから電力を供給されることにより起動し、後述する電源制御キーＩＣ７０からのＯＮパルス信号（「動作モードを指定するパルス信号」の一例）ＰｏｎおよびＯＦＦパルス信号（「動作モードおよびＯＦＦモードを指定するパルス信号」の一例）Ｐｏｆｆにしたがってスイッチング電源２０の発振動作を制御する。
【００３３】
電源検出部（「供給検出部」の一例）２２Ａは、整流平滑回路２１から平滑電圧入力端子（「電源端子」の一例）ＶＨに印加される直流電圧が所定値以上に達したことを検出し、検出信号をタイマ２２Ｂに出力する。言い換えれば、電源検出部２２Ａは、交流電源ＡＣから電源システム１００に電力の供給が開始されたことを検出する。
【００３４】
タイマ２２Ｂは、平滑電圧入力端子ＶＨに接続され、電源検出部２２Ａからの検出信号を受け取ったタイミングから計時を開始し、所定時間Ｋ１経過した際に、計時完了信号Ｓｃｃをスイッチ２２Ｃに供給しスイッチ２２Ｃをオンさせる。
【００３５】
なお、タイマ２２Ｂが電源検出部２２Ａを含む構成としてもよい。また、電源検出部２２Ａが電源制御ＩＣ２２に含まれることには限られず、例えば、電源検出部２２Ａは、小容量電源３０に含まれてもよいし、後述する電源キー制御ＩＣ７０に含まれてもよい。
【００３６】
スイッチ２２Ｃは、タイマ２２Ｂに接続され、タイマ２２Ｂが所定時間Ｋ１（図８および図１２参照）を計時した後に、オフ入力端子ＯＦＦの入力を有効にする。スイッチ２２Ｃは、例えば、トランジスタＴＲ１によって構成される。すなわち、所定時間Ｋ１を計時した後にタイマ２２Ｂから供給される計時完了信号Ｓｃｃによって、トランジスタＴＲ１はオン状態となり、オフ入力端子ＯＦＦ（「ＯＦＦ端子」の一例）が有効化される。
【００３７】
駆動制御部２２Ｄは、オン入力端子ＯＮ、オフ入力端子ＯＦＦ、およびＦＢ（フィードバック）端子に接続され、各端子に入力される信号に応じて、ＦＥＴ（Ｑ１）のゲートＧに対して、出力端子ＯＵＴからオン／オフ信号（ＰＷＭ信号）を出力することにより、ＦＥＴをスイッチング制御する。
【００３８】
具体的には、オン入力端子ＯＮに入力されるＯＮパルス信号Ｐｏｎに応じて、ＦＥＴのゲートＧに対してＰＷＭ信号を出力することにより、スイッチング電源２０を発振させてＯＮモードにする。一方、オフ入力端子ＯＦＦに入力されるＯＦＦパルス信号Ｐｏｆｆに応じて、ＦＥＴのゲートＧに対してＰＷＭ信号の出力を停止することにより、スイッチング電源２０の発振を停止させＯＦＦモードにする。また、ＦＢ端子入力されたフィードバック信号Ｓｆｂに基づいてＰＷＭ信号のＰＷＭ値を決定し、決定されたＰＷＭ値に基づいてＦＥＴをＰＷＭ制御する。
【００３９】
電源切替部２２Ｅは、電源制御ＩＣ２２内の電源を、ＶＨ端子からの電源と電源端子ＶＣＣからの電源とで切替える。すなわち、電源端子ＶＣＣからの電圧が所定のレベル、例えば、ＤＣ５Ｖまで上昇するまではＶＨ端子からの電源とし、電源端子ＶＣＣからの電圧が所定のレベルまで上昇した後は、電源端子ＶＣＣからの電源に切り替える。
【００４０】
２−１−２．小容量電源の構成
小容量電源（「補助電源」の一例）３０は、スイッチング電源２０よりも少ない電源容量を有し、スイッチング電源２０の動作モードにかかわらず電源キー制御ＩＣ７０およびパルス信号伝送部５３、５４に電力を供給する。
【００４１】
小容量電源３０は、第１コンデンサＣ１、第２コンデンサＣ２、整流回路３１、平滑回路３２、ＤＣ−ＤＣコンバータ３３、および蓄電用コンデンサＣ４を含む。すなわち、小容量電源３０は、第１コンデンサＣ１および第２コンデンサＣ２を含む、コンデンサ絶縁型の小容量電源である。
【００４２】
第１コンデンサＣ１は、交流電源ＡＣの一端と整流回路３１との間に接続され、第２コンデンサＣ２は、交流電源ＡＣの他端と整流回路３１との間に接続される。
【００４３】
整流回路３１は、４個のダイオードＤ１−Ｄ４からなるブリッジ回路によって構成される。ダイオードＤ１のアノードは、コンデンサＣ１に接続され、ダイオードＤ２のアノードは、第２コンデンサＣ２に接続される。
【００４４】
また、ダイオードＤ３のカソードは、第１コンデンサＣ１に接続され、ダイオードＤ４のカソードは、第２コンデンサＣ２に接続される。ダイオードＤ３とダイオードＤ４の接続点は基準電位Ｖｇｄ（０Ｖ）とされる。なお、基準電位Ｖｇｄは接地レベルとされてもよい。すなわち、上記接続点はＦＧ（フレーム接地）されてもよい。
【００４５】
平滑回路３２は、整流回路３１に電気的に接続され、整流された交流電圧を平滑して、出力電圧である平滑電圧ＶＤＤを生成する。平滑回路３２は、平滑蓄電コンデンサＣ３および、ツェナーダイオードＺＤ１を含む。
【００４６】
平滑蓄電コンデンサＣ３は、ダイオードＤ５を介してスイッチング電源２０の＋５Ｖの出力端子ＯＵＴ２に電気的に接続される。そのため、プリンタ１の電源投入時には、スイッチング電源２０の＋５Ｖ直流電圧によって平滑蓄電コンデンサＣ３および蓄電用コンデンサＣ４に短時間で充電することが可能となる。
【００４７】
また、ツェナーダイオードＺＤ１は、交流電源ＡＣの交流電圧Ｖａｃが上昇した場合に、平滑電圧ＶＤＤの上昇を抑制するためのものである。ツェナーダイオードＺＤ１のツェナー電圧は、例えば、６．２Ｖとされる。ＤＣ−ＤＣコンバータ３３は、入力電圧をＤＣ３．３Ｖに変換して出力する。
【００４８】
２−２．制御部の構成
制御部５０は、図１および図２に示されるように、ＡＳＩＣ（特定用途向けＩＣ）６０、電源キー制御ＩＣ７０、ＲＯＭ５１、ＲＡＭ５２、およびパルス信号伝達部５３、５４を含む。
【００４９】
ＡＳＩＣ（「システム制御部」の一例）６０は、電源システム１００の全体を制御するとともに、プリンタ１の印刷部２を制御する。ＡＳＩＣ６０は、スイッチング電源２０のＯＮモード中にＤＣ−ＤＣコンバータ２８からＤＣ３．３Ｖを受け取る。したがって、スイッチング電源２０のＯＦＦモード中は、電源が供給されずＡＳＩＣ６０は動作を停止する。また、ＡＳＩＣ６０は、電源キー制御ＩＣ７０に対して、後述するＯＮモード設定信号ＳＳｏｎやＯＦＦモード設定信号ＳＳｏｆｆを出力する。
【００５０】
電源キー制御ＩＣ７０（「モード制御部」の一例）は、電源キーであるパネルスイッチＳＷ１の動作に応じて、ＯＮ（オン）パルス信号Ｐｏｎ、あるいはＯＦＦ（オフ）パルス信号Ｐｏｆｆを生成し、パルス信号伝達部５３、５４を介して、電源制御ＩＣ２２に出力する。すなわち、電源キー制御ＩＣ７０は、電源制御ＩＣ２２に対してＯＮパルス信号Ｐｏｎ、あるいはＯＦＦパルス信号Ｐｏｆｆを出力することにより、スイッチング電源２０の動作モードを、ＯＮモードとＯＦＦモードとに切替える機能を有する。すなわち、ＯＮパルス信号ＰｏｎによってＯＮモードとし、ＯＦＦパルス信号ＰｏｆｆによってＯＦＦモードとする。なお、本実施形態では、ＯＮパルス信号ＰｏｎとＯＦＦパルス信号Ｐｏｆｆとは、同じパルス幅のパルス信号が出力されるように設定されている。
【００５１】
電源キー制御ＩＣ７０の上記機能を実行するために、電源キー制御ＩＣ７０のポートＰ１は、小容量電源３０に接続されており、スイッチング電源２０の動作モードにかかわらず小容量電源３０から、電源キー制御ＩＣ７０に電力供給される。
【００５２】
パルス信号伝送部５３は、フォトカプラＰＣ２の発光ダイオードＬＥＤ２およびトランジスタＱ２を含む。発光ダイオードＬＥＤ２のアノードは、小容量電源３０の電源ラインＬｄｃに接続されている。同様に、パルス信号伝送部５４は、フォトカプラＰＣ３の発光ダイオードＬＥＤ３およびトランジスタＱ３を含む。
【００５３】
発光ダイオードＬＥＤ２は、スイッチング電源２０の電源制御ＩＣ２２のオン入力端子ＯＮに接続されたフォトトランジスタＰＴ２と共に、フォトカプラＰＣ２を構成している。そのため、電源キー制御ＩＣ７０のポートＰ３からトランジスタＱ２のベースにＯＮパルス信号Ｐｏｎが出力されると、ＯＮパルス信号Ｐｏｎは、フォトカプラＰＣ２を介して光伝送され、電源制御ＩＣ２２のＯＮ入力端子ＯＮに入力される。
【００５４】
また、発光ダイオードＬＥＤ３は、スイッチング電源２０の電源制御ＩＣ２２のＯＦＦ入力端子ＯＦＦに接続されたフォトトランジスタＰＴ３と共に、フォトカプラＰＣ３を構成している。そのため、電源キー制御ＩＣ７０のポートＰ４からトランジスタＱ３のベースにＯＦＦパルス信号Ｐｏｆｆが出力されると、ＯＦＦパルス信号Ｐｏｆｆは、フォトカプラＰＣ３を介して光伝送され、電源制御ＩＣ２２のオフ入力端子ＯＦＦに入力される。
【００５５】
また、ユーザは、表示部４に含まれる電源キーＳＷ１によって、ポートＰ２を介して電源キー制御ＩＣ７０にスイッチング電源２０のモードの切替を指示することができる。すなわち、電源キーＳＷ１が押下されると、電源キーＳＷ１は押下信号Ｓｐｒを生成し、押下信号ＳｐｒをポートＰ２に供給する。
【００５６】
また、電源キー制御ＩＣ７０は、スイッチング電源２０のＯＮモードおよびＯＦＦモードのうちいずれのモードであるかのモード情報を記憶するＥＥＰＲＯＭ（「記憶部」の一例）７１を有する。
【００５７】
３．スイッチング電源の動作モードと各制御部の動作
次に、図４−図７を参照して、スイッチング電源２０のモード設定に係る、ＡＳＩＣ６０、電源キー制御ＩＣ７０、および電源制御ＩＣ２２の動作を説明する。なお、図７に示されるステップ番号Ｓは、図６のステップ番号に対応する。
【００５８】
３−１．ＡＳＩＣ
まず、図４および図７を参照してＡＳＩＣ６０の動作について説明する。図４および図７に示されるように、例えば、低圧電源部１０のＡＣプラグがＡＣコンセントに挿入されて、スイッチング電源２０が立ち上がり、スイッチング電源２０からＤＣ３．３Ｖが供給されると、ＡＳＩＣ６０は、動作を開始し、初期化動作を行う（ステップＳ１０）。初期化動作では、例えば、ＡＳＩＣ６０内の各ブロックのリセット解除を行い、ＡＳＩＣ６０内のＣＰＵを動作させる。
【００５９】
次いで、ＡＳＩＣ６０は、電源キー制御ＩＣ７０にＯＮモード設定信号ＳＳｏｎを出力する（ステップＳ２０：「オン出力処理」の一例）。次いで、スイッチング電源２０のＯＮモード中において、電源キー制御ＩＣ７０から電源キーＳＷ１の押下に係る押下情報が入力されたか否かを判定する（ステップＳ３０）。押下情報が入力されない場合（ステップＳ３０：ＮＯ）、押下情報が入力されるまで待機する。一方、押下情報が入力された場合（ステップＳ３０：ＹＥＳ）、電源キー制御ＩＣ７０にＯＦＦモード設定信号ＳＳｏｆｆを出力する（ステップＳ４０：「オフ出力処理」の一例）。それに応じて、スイッチング電源２０はＯＦＦモードとされ、ＡＳＩＣ６０への電力供給は停止され、ＡＳＩＣ６０は動作を停止する。
なお、スイッチング電源２０のＯＦＦモード中に電源キーＳＷ１が押下された場合、ステップＳ１０からステップＳ４０までの動作を繰り返す。
【００６０】
３−２．電源キー制御ＩＣ
次に、図５および図７を参照して電源キー制御ＩＣ７０の動作について説明する。図５および図７に示されるように、例えば、低圧電源部１０のＡＣプラグがＡＣコンセントに挿入されて、小容量電源３０が立ち上がり、電源キー制御ＩＣ７０に電力が供給されると、電源キー制御ＩＣ７０は、ＥＥＰＲＯＭ７１に「ＯＮモード」のモード情報を設定するとともに、電源制御ＩＣ２２にＯＮパルス信号Ｐｏｎを送信する（ステップＳ１０５）。次いで、電源キーＳＷ１が押下されたか否かを判定する（ステップＳ１１０）。電源キー制御ＩＣ７０はこの判定を、電源キーＳＷ１が押下される際に電源キーから出力される押下信号Ｓｐｒを検出することによって行う（「押下検出処理」の一例）。
【００６１】
電源キーＳＷ１が押下されていない場合（ステップＳ１１０：ＮＯ）、電源キーＳＷ１が押下されるまで待機する。一方、電源キーＳＷ１が押下された場合（ステップＳ１１０：ＹＥＳ）、電源キー制御ＩＣ７０は、ＥＥＰＲＯＭ７１に設定されているモード情報がＯＮモードの設定か否かを判定する（ステップＳ１１５）。ＥＥＰＲＯＭ７１に設定されているモード情報がＯＮモードの設定であると判定した場合（ステップＳ１１５：ＹＥＳ）、押下信号Ｓｐｒを検出したことを示す押下情報をＡＳＩＣ６０に出力する（ステップＳ１２０：「押下出力処理」の一例）。
【００６２】
次いで、電源キー制御ＩＣ７０は、押下信号Ｓｐｒに応じてＡＳＩＣ６０からＯＦＦモード設定信号ＳＳｏｆｆを入力したか否かを判定する（ステップＳ１２５）。ＯＦＦモード設定信号ＳＳｏｆｆを入力していない場合（ステップＳ１２５：ＮＯ）、ＯＦＦモード設定信号ＳＳｏｆｆを入力するまで待機する。一方、ＯＦＦモード設定信号ＳＳｏｆｆを入力した場合（ステップＳ１２５：ＹＥＳ）、ＥＥＰＲＯＭ７１に「ＯＦＦモード」のモード情報を設定する（ステップＳ１３０：「ＯＦＦモード設定処理」の一例）。そして、電源キー制御ＩＣ７０は、スイッチング電源２０をＯＦＦモードにすべきとして、電源制御ＩＣ２２にＯＦＦパルス信号Ｐｏｆｆを送信し（ステップＳ１３５）、ステップＳ１１０の処理に戻る。
【００６３】
一方、ステップＳ１１５において、ＥＥＰＲＯＭ７１に設定されているモード情報がオンＯＮモードの設定でない、すなわち、ＯＦＦモードの設定であると判定した場合（ステップＳ１１５：ＮＯ）、スイッチング電源２０をＯＮモードにすべきとして、電源制御ＩＣ２２にＯＮパルス信号Ｐｏｎを送信する（ステップＳ１５０）。次いで、電源キー制御ＩＣ７０は、ＯＮモードに移行したことによって動作を開始したＡＳＩＣ６０からＯＮモード設定信号ＳＳｏｎを入力したか否かを判定する（ステップＳ１５５）。ＯＮモード設定信号ＳＳｏｎを入力していない場合（ステップＳ１５５：ＮＯ）、ＯＮモード設定信号ＳＳｏｎを入力するまで待機する。一方、ＯＮモード設定信号ＳＳｏｎを入力した場合（ステップＳ１５５：ＹＥＳ）、ＥＥＰＲＯＭ７１に「ＯＮモード」のモード情報を設定し（ステップＳ１６０：「ＯＮモード設定処理」の一例）、ステップＳ１１０の処理に戻る。
【００６４】
３−３．電源制御ＩＣ
次に、図６および図７を参照して電源キー制御ＩＣ７０の動作について説明する。図６および図７に示されるように、電源制御ＩＣ２２は、例えば、低圧電源部１０のＡＣプラグがＡＣコンセントに挿入されて、交流電源ＡＣから電力を供給され起動し、小容量電源３０が立ち上がり、電源キー制御ＩＣからＯＮパルス信号Ｐｏｎが入力されると、スイッチング電源２０をＯＮモードにするため、出力端子ＯＵＴからＰＷＭ信号を出力する（ステップＳ２０５）。そして、スイッチング電源２０の発振制御を開始し、ＡＳＩＣ６０に電力が供給される（ステップＳ２１０：「発振処理」の一例）。これにより、ＡＳＩＣ６０は動作を開始する。
【００６５】
次いで、電源制御ＩＣ２２は、電源キーＳＷ１が押下され、電源キー制御ＩＣ７０からＯＦＦパルス信号Ｐｏｆｆが入力された否かを判定する（ステップＳ２２０）。ＯＦＦパルス信号Ｐｏｆｆが入力されていない場合（ステップＳ２２０：ＮＯ）、ＯＦＦパルス信号Ｐｏｆｆが入力するまで待機する。一方、ＯＦＦパルス信号Ｐｏｆｆが入力された場合（ステップＳ２２０：ＹＥＳ）、スイッチング電源２０をＯＦＦモードにするため、出力端子ＯＵＴからＰＷＭ信号を出力するのを停止する（ステップＳ２３０）。そして、スイッチング電源２０の発振制御を停止する。これにより、ＡＳＩＣ６０への電力の供給が停止する（ステップＳ２４０：「発振停止処理」の一例）。
次いで、電源制御ＩＣ２２は、ＯＦＦモード中において電源キーＳＷ１が押下され、電源キー制御ＩＣ７０からＯＮパルス信号Ｐｏｎが入力された否かを判定する（ステップＳ２５０）。ＯＮパルス信号Ｐｏｎが入力されていない場合（ステップＳ２５０：ＮＯ）、ＯＮパルス信号Ｐｏｎが入力するまで待機する。一方、ＯＮパルス信号Ｐｏｎが入力された場合（ステップＳ２５０：ＹＥＳ）、ステップＳ２０５の処理に戻り、ＯＮモードに移行するための処理を行う。
【００６６】
４．電源オン時の各制御部の動作
次に、図８から図１２を参照して、本実施形態の特徴である、プリンタ１の電源オン時の各制御部の動作を詳細に説明する。ここで、電源オンとは、ＡＣプラグがＡＣコンセントに挿入されること、すなわち、プリンタ１への交流電源の投入を意味する。
【００６７】
本実施形態では、電源オン時に、電源制御ＩＣ２２によってＯＦＦパルス信号Ｐｏｆｆの無効処理が行われる。ＯＦＦパルス信号Ｐｏｆｆの無効処理は、ＡＣプラグがＡＣコンセントに挿入された際のノイズ等によって、スイッチング電源２０が立ち上らないことを抑制するための処理である。
【００６８】
４−１．ＯＦＦモードで電源オフされた場合
まず、図８、図９および図１２を参照して、前回の電源オフがＯＦＦモードでなされた場合の、すなわち、ＥＥＰＲＯＭ７１の設定がＯＦＦモードである場合の、電源オン時のモード設定処理について説明する。ここで、電源オフとは、ＡＣプラグがＡＣコンセントから抜かれることを意味する。なお、図９に示されるステップ番号Ｓは、図８のステップ番号に対応し、また、時刻記号ｔは、図１２の時刻表示に対応する。
【００６９】
今、図１２の時刻ｔ１において、ＡＣプラグがＡＣコンセントに挿入されたとする。すると、電源制御ＩＣ２２は、交流電源ＡＣから電力を供給され起動し、タイマ２２Ｂは、計時を開始する（ステップＳ３０５）。また、小容量電源３０が立ち上がり、それにともなって電源キー制御ＩＣ７０に電力が供給される。すると電源キー制御ＩＣ７０は、ＥＥＰＲＯＭ７１のオフ設定にかかわらず、ＯＮパルス信号Ｐｏｎを生成し、ＯＮパルス信号Ｐｏｎを電源制御ＩＣ２２に送信する（ステップＳ３１０：「発振処理」の一例、時刻ｔ２参照）。すると、電源制御ＩＣ２２は、スイッチング電源２０をＯＮモードにするため、出力端子ＯＵＴからＰＷＭ信号を出力する。それによって、スイッチング電源２０の発振制御を開始し、ＡＳＩＣ６０に電力が供給される（ステップＳ３１２、時刻ｔ３参照）。これにより、ＡＳＩＣ６０は動作を開始、初期化動作を行う。
【００７０】
なお、電源オン時のスイッチング電源２０のＯＮモード移行は、ＯＮパルス信号Ｐｏｎによってなされることには限られない。例えば、電源検出部２２Ａの電源検知に基づいて、電源制御ＩＣ２２自体によって行うようにしてもよい。
【００７１】
次いで、電源制御ＩＣ２２は、タイマ２２Ｂの計時が所定時間Ｋ１に達したか否かを判定する（ステップＳ３１５）。ここで、所定時間Ｋ１は、電源オン時におけるＯＦＦパルス信号Ｐｏｆｆの無効期間であり、電源検出部２２Ａによって交流電源ＡＣから電力の供給が検出された時から、すなわち、時刻ｔ１から、ＡＳＩＣ６０が起動するまでの時間とされる。
【００７２】
ＯＦＦパルス信号Ｐｏｆｆの無効期間をＡＳＩＣ６０の起動時間より長くすると、電源オン時にユーザが電源キーＳＷ１によってスイッチング電源２０をＯＦＦモードに変更しようとしても、ＡＳＩＣ６０が起動しておらず、変更できない場合が生じる可能性がある。そのため、所定時間Ｋ１をＡＳＩＣ６０が起動するまでの時間とすることにより、電源オン時のユーザによるＯＦＦモード指示に対応できる。所定時間Ｋ１は、例えば、３００ｍｓとされる。なお、所定時間Ｋ１は、ＡＳＩＣ６０が起動するまでの時間には限られない。要は、所定時間Ｋ１は、プリンタ１の電源オン時に、ＯＦＦ入力端子ＯＦＦに侵入するノイズ等によって、スイッチング電源２０がＯＦＦモードとされない期間とされればよく、事前に実験等によって決定される。
【００７３】
タイマ２２Ｂの計時が所定時間Ｋ１に達していない場合、所定時間Ｋ１に達するまで待機する（ステップＳ３１５：ＮＯ、「無効処理」の一例）。所定時間Ｋ１において、オフ入力端子ＯＦＦは無効とされる。すなわち、所定時間Ｋ１において、電源制御ＩＣ２２のスイッチ２２ＣのトランジスタＴＲ１はオフ状態にあり、ＯＦＦパルス信号Ｐｏｆｆがオフ入力端子ＯＦＦに入力されても、ＯＦＦパルス信号Ｐｏｆｆは無効にされる。そのため、所定時間Ｋ１に、ノイズがオフ入力端子ＯＦＦに入力されても、電源制御ＩＣ２２がノイズを誤ってＯＦＦパルス信号Ｐｏｆｆと認識し、スイッチング電源２０をＯＦＦモードとしてしまうことが抑制される。特に、ＡＣプラグがＡＣコンセントに挿入される電源オン時（時刻ｔ１）にＯＦＦモードとしてしまうことが抑制される。
【００７４】
一方、所定時間Ｋ１に達した場合（ステップＳ３１５：ＹＥＳ）、タイマ２２Ｂは、スイッチ２２ＣのトランジスタＴＲ１をオン状態にする信号をスイッチ２２Ｃに供給し、オフ入力端子ＯＦＦを有効にする（ステップＳ３２０：時刻ｔ４参照）。また、電源制御ＩＣ２２は、タイマ２２Ｂの計時が所定時間Ｋ１に達したことをＡＳＩＣ６０に通知する。なお、ＡＳＩＣ６０が、所定時間Ｋ１の経過（時刻ｔ４に達したこと）を認識する方法は、これに限られない。例えば、電源キー制御ＩＣ７０が電源検出部２２Ａ（供給検出部）およびタイマを有する構成とし、電源キー制御ＩＣ７０が、時刻ｔ４に達したことをＡＳＩＣ６０に通知するようにしてもよい。あるいは、ＡＳＩＣ６０自身で時刻ｔ４に達したことを認識するようにしてもよい。
【００７５】
次いで、ＡＳＩＣ６０は、所定時間Ｋ１の経過の通知に応じて、前回ＯＦＦモード中に電源をオフされたことを、ＥＥＰＲＯＭ７１に設定されているモード情報がＯＦＦモードであることから判断して、電源オフ時のモードであったＯＦＦモードに移行するために、電源キー制御ＩＣ７０にＯＦＦモード設定信号ＳＳｏｆｆを出力する（ステップＳ３３０）。すると、電源キー制御ＩＣ７０は、ＯＦＦパルス信号Ｐｏｆｆをオフ入力端子ＯＦＦに送信する（ステップＳ３４０：時刻ｔ５参照）。ＯＦＦパルス信号Ｐｏｆｆにしたがって、電源制御ＩＣ２２は、スイッチング電源２０をＯＦＦモードにするため、出力端子ＯＵＴからＰＷＭ信号を出力するのを停止し、スイッチング電源２０の発振を停止させ、ＡＳＩＣ６０への電力供給を停止する（ステップＳ３５０：「発振停止処理」の一例）。これによって、今回電源オン時のスイッチング電源２０のモードは、前回電源オフ時のモードであるＯＦＦモードに復元される（時刻ｔ６参照）。
【００７６】
４−２．ＯＮモードで電源オフされた場合
次に、図１０から図１２を参照して、前回の電源オフがＯＮモードでなされた場合の、すなわち、ＥＥＰＲＯＭ７１の設定がＯＮモードである場合の、電源オン時のモード設定処理について説明する。なお、図８と同一の処理に対しては同一のステップ番号を付し、その説明を省略する。また、図１１に示されるステップ番号Ｓは、図１０のステップ番号に対応し、時刻記号ｔは、図１２の時刻表示に対応する。また、ＯＦＦモードで電源オフされた場合とは、実際の時刻は異なるが、図１２では、説明の便宜上、同一の時刻表示とする。
【００７７】
今、図１２の時刻ｔ１において、ＡＣプラグがＡＣコンセントに挿入され、プリンタ１の電源がオンされたとする。図８のステップＳ３０５からステップＳ３２０までは、図８および図９の「ＯＦＦモードで電源オフされた場合」と同様であり、時刻ｔ１から時刻ｔ４までの所定時間Ｋ１中は、電源オン時のノイズの影響を抑制するために、オフ入力端子ＯＦＦは無効とされる。
【００７８】
ステップＳ３２０において、時刻ｔ４においてオフ入力端子ＯＦＦが有効にされ、所定時間Ｋ１の経過の通知を受け取ると、ＡＳＩＣ６０は、前回ＯＮモード中に電源をオフされたことを、ＥＥＰＲＯＭ７１に設定されているモード情報がＯＮモードであることから判断して、電源オフ時のモードであったＯＮモードを維持する（ステップＳ４１０）。次いでＡＳＩＣ６０は、電源キー制御ＩＣ７０にＯＮモード設定信号ＳＳｏｎを出力して、電源キー制御ＩＣ７０をＯＮモード設定に維持させる（ステップＳ４２０）。これによって、電源キー制御ＩＣ７０からＯＦＦパルス信号Ｐｏｆｆは出力されず、時刻ｔ５において今回電源オン時のスイッチング電源２０のモードは、前回電源オフ時のモードであるＯＮモードに復元される。
【００７９】
５．本実施形態の効果
電源制御ＩＣによる無効処理（ステップＳ３０５、ステップＳ３１５）によって、外乱ノイズが発生しやすい交流電源ＡＣからの電力供給開始時において、所定時間Ｋ１、スイッチング電源２０の発振を停止させるパルスの入力が無効にされる。そのため、パルスによってスイッチング電源の発振動作が切替わる電源システム１００において、電源オン時のオフ入力端子ＯＦＦの外乱ノイズの侵入によって、例えば電源システム１００が立ち上がらないという不具合が発生するのを抑制することができる。
【００８０】
具体的には、例えば、ＯＮモードで電源オフされた後の電源オン時に、オフ入力端子ＯＦＦに外乱ノイズが生じると、電源制御ＩＣ２２が、外乱ノイズをＯＦＦパルス信号Ｐｏｆｆと勘違いし、電源オン時にスイッチング電源２０の発振を停止させてしまう虞があった。そして、スイッチング電源２０の発振が開始できていないのにもかかわらず、スイッチング電源２０の動作モードを知らないユーザによって、プリンタ１をＯＮモードとしたいがために電源キーが押下されるが、電源キー制御ＩＣがＡＳＩＣ６０へ押下情報Ｓｐｒを送信しても、ＡＳＩＣ６０は動作していないため、ＡＳＩＣ６０から電源キー制御ＩＣへモード設定信号が届かない。このとき、電源キー制御ＩＣ７０のＥＥＰＲＯＭ７１に記憶されたモード情報はＯＮモードのままであるため、電源キー制御ＩＣ７０は電源制御ＩＣ２２にＯＮパルス信号Ｐｏｎを送信しない。そのため、スイッチング電源２０を起動できず、プリンタ１をＯＮモードとすることができないという不具合が発生する虞があった。しかしながら、本実施形態によって、このような不具合が発生するのを抑制することができる。
【００８１】
また、電源制御ＩＣ２２が、交流電源ＡＣから電源システム１００に電力の供給が開始されたことを検出する電源検出部２２Ａ（供給検出部）を含む。そのため、他の部が供給検出部を含み、その結果を電源制御ＩＣ２２が受け取る場合と比べて、無効処理を迅速に実行することができる。
【００８２】
また、オフ入力端子ＯＦＦを所定時間Ｋ１無効にする構成は、すなわち、無効処理を実行する構成は、タイマ２２Ｂとスイッチ２２Ｃとによって構成される。そのため、無効処理を、簡易な構成で好適に実行できる。なお、無効処理を実行する構成は、タイマ２２Ｂとスイッチ２２Ｃとによる構成に限られない。
【００８３】
＜他の実施形態＞
本発明は上記記述及び図面によって説明した実施形態に限定されるものではなく、例えば次のような実施形態も本発明の技術的範囲に含まれる。
【００８４】
（１）上記実施形態においては、電源制御ＩＣ２２は、スイッチング電源２０の動作モードをＯＮモードとするＯＮパルス信号Ｐｏｎが入力されるＯＮ端子と、ＯＦＦモードとするＯＦＦパルス信号Ｐｏｆｆが入力されるオフ入力端子ＯＦＦとを個別に設ける例を示したが、これに限らない。例えば、ＯＮパルス信号ＰｏｎとＯＦＦパルス信号Ｐｏｆｆとが共通の端子に入力される構成とし、フォトカプラは一個省略する構成としてもよい。そして、その場合、電源制御ＩＣ２２は、モードを記憶するモード記憶部を備える構成としてもよい。
【００８５】
（２）上記実施形態において、本発明に係る無効処理を、電源キーＳＷ１によって、スイッチング電源２０のモード切替え指示が行われ、その指示に基づいて、ＡＳＩＣ６０（システム制御部）がモード設定を行う電源システム１００において実行する例を示したが、これに限られない。電源キーおよびシステム制御部を有さない電源システムにも本発明は適用できる。
【００８６】
（３）上記実施形態において、本明細書によって開示される電源システム１００を画像形成装置に適用した例を示すが、これに限られない。電源システム１００は、電源システム１００に含まれるスイッチング電源２０をＯＮモードとＯＦＦモードとに制御して使用する、あらゆる装置に適用できる。
【符号の説明】
【００８７】
１…プリンタ、２０…スイッチング電源、２２…電源制御ＩＣ、２２Ａ…電源検出部、２２Ｂ…タイマ、２２Ｃ…スイッチ、３０…小容量電源、６０…ＡＳＩＣ、７０…電源キー制御ＩＣ、７１…ＥＥＰＲＯＭ、１００…電源システム、ＳＷ１…電源キー
【図１】
2015198467.tif 000003
【図２】
2015198467.tif 000004
【図３】
2015198467.tif 000005
【図４】
2015198467.tif 000006
【図５】
2015198467.tif 000007
【図６】
2015198467.tif 000008
【図７】
2015198467.tif 000009
【図８】
2015198467.tif 000010
【図９】
2015198467.tif 000011
【図１０】
2015198467.tif 000012
【図１１】
2015198467.tif 000013
【図１２】
2015198467.tif 000014